(57)【要約】【課題】ユーザに対してより有利な特典を付与する可能性を期待させ、配信システムを利用するきっかけを与え、登録数を増加させることが可能な配信システムを提供すること。【解決手段】配信システムＤＳは、特典情報データベース１３を有するサーバ側記憶部１１、特典情報ＦＣを抽出し、配信する特典情報抽出配信部１４、要求情報ＲＩ，ＲＩ’を受信する要求情報受信部１５、他のユーザ端末２０ｂを検出するユーザ端末検出部１６、合成特典情報ＳＣを抽出する合成特典情報抽出部１７、及び、合成特典情報ＳＣを配信する合成特典情報配信部１８を有する管理サーバ１０と、特典情報ＦＣを受信する特典情報受信部２２、要求情報ＲＩを送信する要求情報送信部２３、及び、合成特典情報ＳＣを受信する合成特典情報受信部２４を有するユーザ端末２０ａ，２０ｂと、を有する。【選択図】図３
2016091147.tif 000002
【特許請求の範囲】
【請求項１】
ユーザに付与される特典にかかる特典情報を、通信ネットワークに接続された管理サーバからユーザ端末に配信する特典情報配信システムであって、
前記管理サーバは、
複数の前記特典情報をデータベース化して記憶した特典情報データベースを有するサーバ側記憶部と、
前記ユーザ端末から送信される前記特典情報の合成要求にかかる要求情報を、前記通信ネットワークを通じて受信する要求情報受信部と、
受信した前記要求情報に基づいて、前記通信ネットワークを通じて他の要求情報を送信した他のユーザ端末を検出するユーザ端末検出部と、
前記他のユーザ端末が検出されると、前記要求情報及び前記他の要求情報の組み合わせに基づいて、前記特典情報データベースから合成特典情報を抽出する合成特典情報抽出部と、
抽出された前記合成特典情報を前記ユーザ端末に向けて、前記通信ネットワークを通じて配信する合成特典情報配信部と、を有し、
前記ユーザ端末は、
前記管理サーバから前記通信ネットワークを通じて配信される前記特典情報を受信する特典情報受信部と、
前記管理サーバに前記通信ネットワークを通じて前記特典情報を含む前記要求情報を送信する要求情報送信部と、
前記管理サーバから前記通信ネットワークを通じて配信される前記合成特典情報を受信する合成特典情報受信部と、を有する特典情報配信システム。
【請求項２】
前記ユーザ端末は、
前記ユーザ端末に対して行われる動作及び／又は前記ユーザ端末の姿勢を検知する端末検知部を、さらに有し、
前記要求情報送信部は、
前記端末検知部によって前記動作及び／又は前記姿勢を検知すると、前記ユーザ端末から前記管理サーバに前記要求情報の送信を開始する、請求項１に記載の特典情報配信システム。
【請求項３】
前記ユーザ端末は、
前記ユーザ端末の端末位置にかかる位置情報を取得する位置情報取得部を、さらに有し、
前記要求情報送信部は、
前記要求情報に前記位置情報を含めて前記管理サーバに送信し、
前記管理サーバの前記ユーザ端末検出部は、
前記位置情報に基づいて、前記他のユーザ端末を検出する位置情報検出部を、さらに有する請求項１又は請求項２に記載の特典情報配信システム。
【請求項４】
前記ユーザ端末は、
前記要求情報の送信時刻にかかる時刻情報を取得する時刻情報取得部を、さらに有し、
前記要求情報送信部は、
前記要求情報に前記時刻情報を含めて前記管理サーバに送信し、
前記管理サーバの前記ユーザ端末検出部は、
前記時刻情報に基づいて、前記ユーザ端末の送信時刻から規定時間内に前記他の要求情報を送信した前記他のユーザ端末を検出する時刻情報検出部を、さらに有する請求項１から請求項３のいずれか一つに記載の特典情報配信システム。
【請求項５】
前記合成特典情報抽出部は、
前記要求情報及び前記他の要求情報の組み合わせに基づいて前記特典情報データベースから抽出される前記合成特典情報を、予め規定された合成規制条件に従って規制する規制抽出部を、さらに有する請求項１から請求項４のいずれか一つに記載の特典情報配信システム。
【請求項６】
ユーザに付与される特典にかかる特典情報を、通信ネットワークに接続された管理サーバからユーザ端末に配信する特典情報配信システムに用いられる特典情報配信プログラムであって、
複数の前記特典情報をデータベース化して記憶した特典情報データベースを有するサーバ側記憶手段、前記ユーザ端末から送信される前記特典情報の合成要求にかかる要求情報を、前記通信ネットワークを通じて受信する要求情報受信手段、受信した前記要求情報に基づいて、前記通信ネットワークを通じて他の要求情報を送信した他のユーザ端末を検出するユーザ端末検出手段、前記他のユーザ端末が検出されると、前記要求情報及び前記他の要求情報の組み合わせに基づいて、前記特典情報データベースから合成特典情報を抽出する合成特典情報抽出手段、及び、抽出された前記合成特典情報を前記ユーザ端末に向けて、前記通信ネットワークを通じて配信する合成特典情報配信手段として、前記管理サーバを機能させ、
前記管理サーバから前記通信ネットワークを通じて配信される前記特典情報を受信する特典情報受信手段、前記管理サーバに前記通信ネットワークを通じて前記特典情報を含む前記要求情報を送信する要求情報送信手段、前記管理サーバから前記通信ネットワークを通じて配信される前記合成特典情報を受信する合成特典情報受信手段として、前記ユーザ端末を機能させる特典情報配信プログラム。
【請求項７】
ユーザに付与される特典にかかる特典情報を、通信ネットワークに接続された管理サーバからユーザ端末に配信する特典情報配信システムに用いられる特典情報配信方法であって、
前記管理サーバは、
複数の前記特典情報をデータベース化して特典情報データベースを記憶するステップと、
前記ユーザ端末から送信される前記特典情報の合成要求にかかる要求情報を、前記通信ネットワークを通じて受信するステップと、
受信した前記要求情報に基づいて、前記通信ネットワークを通じて他の要求情報を送信した他のユーザ端末を検出するステップと、
前記他のユーザ端末が検出されると、前記要求情報及び前記他の要求情報の組み合わせに基づいて、前記特典情報データベースから合成特典情報を抽出するステップと、
抽出された前記合成特典情報を前記ユーザ端末に向けて、前記通信ネットワークを通じて配信するステップと、を実行し、
前記ユーザ端末は、
前記管理サーバから前記通信ネットワークを通じて配信される前記特典情報を受信するステップと、
前記管理サーバに前記通信ネットワークを通じて前記特典情報を含む前記要求情報を送信するステップと、
前記管理サーバから前記通信ネットワークを通じて配信される前記合成特典情報を受信するステップと、を実行する特典情報配信方法。
【発明の詳細な説明】
【技術分野】
【０００１】
本発明は、特典情報配信システム、特典情報配信プログラム、及び特典情報配信方法に関する。
【背景技術】
【０００２】
従来、カフェや居酒屋等の店舗において、新商品や新メニューのＰＲや販売促進、新規顧客の獲得、リピート客（固定客）の確保等を目的として、当該店舗が提供する商品やメニューの無料券や割引券などのいわゆる「クーポン（券）」が発行されることがある。これらのクーポンは、店舗の店頭で配布やフリーペーパー等の雑誌を介して配布されている。クーポンの利用者は、注文時や精算時に店舗スタッフに当該クーポンを提示したり、手渡したりすることによって通常の来店時と比べて、有利な“特典”の提供を受けることができる。なお、クーポンは、上記飲食店に限らず、ヘアサロンやネイルサロン等の美理容関連施設、ボウリング場や映画館等の娯楽施設、種々の小売店など、多くの業種・業態の店舗や施設（以下、「施設等」と総称する。）に幅広く発行されている。
【０００３】
近年、上記のような紙を媒体とするクーポンに変わり、利用者（ユーザ）が使用する携帯電話やスマートフォン等の携帯情報端末に、上記施設等が提供するクーポン配信用のソフトウェア（アプリ）をインストールし、このアプリを通じて電子媒体のクーポンを配信するサービスも行われている。利用者は、アプリを起動した携帯情報端末の端末画面に、配信されたクーポンの画像を表示させ、これを施設等で提示することにより、紙媒体のクーポンと同様に有利な特典の提供を受けることができる（例えば、特許文献１を参照）。
【０００４】
このようなクーポンの配信サービスは、従前の紙媒体のクーポンと比べ、クーポンの発行にかかる印刷コストや配布コストがほとんど必要とならず、安価にクーポンを発行することができる等のメリットを有している。特に、クーポンの発行決定から配信に至るまでの時間を大幅に短縮することができ、またクーポン内容の変更や配信時期の調整も容易に行うことができる。その結果、利用者のニーズや施設等の営業戦略等の種々の状況を考慮して、適切な内容及びタイミングでクーポンの配信を行うことができ、クーポンの利用率を高めることができる。これにより、クーポンの配信効果を十分に得ることができる。
【０００５】
一方、利用者にとっても、紙媒体のクーポンのように、雑誌等からわざわざ切り取って持ち歩く手間が不要となり、さらに施設等に来店したその場所でアプリをインストールし、すぐにクーポンを入手し、特典の提供を受けることができる等のメリットを有している。なお、携帯情報端末にアプリをインストールする代わりに、施設等が運営するウェブサイトを通じてメールマガジン等に登録し、当該施設等から定期的又は不定期的に配信されるクーポンの情報を含むメールを受信するサービスもある。
【０００６】
利用者は、上記アプリのインストール時や初回起動時に、又は、メールマガジンへの登録時に、利用者の登録名（ユーザ名）、年齢（又は年代）、居住地域等の利用者の属性に関する情報（属性情報）の入力及び登録が求められることがあった。この場合、利用者の本名や自宅住所、電話番号等の利用者個人を特定可能な個人情報については特に必要とされることがなく、利用者の大まかな属性が求められるため、登録に関して特に躊躇なく入力されることが多かった。
【０００７】
施設等は、登録時に入力された属性情報を、特典情報を配信する等の通常の管理業務に用いる他、来店した利用者の消費傾向の把握等のために、当該属性情報を活用することができる。例えば、店舗における利用者の性別比率、年代別分布、時間帯別の利用率、１来店当たりの平均購入（消費）金額、来店頻度との有益な情報を取得することができる。これにより、クーポンの配信による新規顧客の獲得等のような直接的なメリットに加え、属性情報に基づく上記のような間接的なメリットを得ることが可能となる。そのため、施設等にとっては、できるだけ多くの利用者がアプリのインストールやメールマガジンへの登録をすることを望んでいる。
【先行技術文献】
【特許文献】
【０００８】
【特許文献１】特開２００７−２６５３６５号公報
【発明の概要】
【発明が解決しようとする課題】
【０００９】
しかしながら、上記のクーポンの配信サービスの場合、下記のような課題があった。クーポンの配信を受けた利用者（ユーザ）が施設等においてその特典の提供を受けようとする場合、その利用者のみが当該特典の提供を限定的に受けるのではなく、当該利用者と一緒に来店したグループのメンバー全員に対しても同様の特典が施設等から提供されることが一般的であった。例えば、居酒屋等の飲食店が配信するクーポンの場合、複数人（例えば、４〜６人程度）のグループで来店した中の一人が、クーポン（例えば、“ドリンク１杯無料サービス!”等。）の配信を受けていれば、グループのメンバー全員がそのクーポンによる特典の恩恵を受けることができた。
【００１０】
つまり、アプリを自らの携帯情報端末にインストールし、クーポンの配信を受けた利用者以外のメンバーにとっては、自らが何ら主体的な行動を起こすことなく、店舗からの特典の提供を受けることができた。そのため、特典の提供を受けている自覚や認識が少なく、アプリをインストールしたり（又は、メールマガジンに登録したり）する積極的な行動をとる必要性を感じることがなかった。その結果、クーポンの配信サービスを行うためのアプリのダウンロード数（又はインストール数）や、ウェブサイトへのメールマガジンへの登録数が増えることがなく、クーポンの配信による集客効果が十分にならないことがあった。さらに、ダウンロード数や登録数が増加しないことで、消費傾向等を把握するための利用者（ユーザ）の属性情報の入手が十分でなく、解析の精度が低下するなど間接的メリットの効果についても小さくなる可能性があった。そこで、施設等において、クーポンの配信数を増加させ、多くの利用者に係る属性情報を容易に取得可能なクーポン配信システムの開発が期待されている。
【００１１】
本発明は、上記の事情に鑑みて為されたものであり、ユーザに対してより有利な特典を付与する期待感を高揚させ、アプリのインストールやメールマガジンへの登録のきっかけを与え、ユーザの登録数を増大させることが可能な特典情報配信システム、特典情報配信プログラム、及び特典情報配信方法を提供することを例示的課題とする。
【課題を解決するための手段】
【００１２】
上記の課題を解決するために、本発明の例示的側面としての配信情報合成システムは、「ユーザに付与される特典にかかる特典情報を、通信ネットワークに接続された管理サーバからユーザ端末に配信する特典情報配信システムであって、前記管理サーバは、複数の前記特典情報をデータベース化して記憶した特典情報データベースを有するサーバ側記憶部と、前記ユーザ端末から送信される前記特典情報の合成要求にかかる要求情報を、前記通信ネットワークを通じて受信する要求情報受信部と、受信した前記要求情報に基づいて、前記通信ネットワークを通じて他の要求情報を送信した他のユーザ端末を検出するユーザ端末検出部と、前記他のユーザ端末が検出されると、前記要求情報及び前記他の要求情報の組合せに基づいて、前記特典情報データベースから合成特典情報を抽出する合成特典情報抽出部と、抽出された前記合成特典情報を前記ユーザ端末に向けて、前記通信ネットワークを通じて配信する合成特典情報配信部と、を有し、前記ユーザ端末は、前記管理サーバから前記通信ネットワークを通じて配信される前記特典情報を受信する特典情報受信部と、前記管理サーバに前記通信ネットワークを通じて前記特典情報を含む前記要求情報を送信する要求情報送信部と、前記管理サーバから前記通信ネットワークを通じて配信される前記合成特典情報を受信する合成特典情報受信部と、を有する」ものである。
【００１３】
本発明の特典情報配信システムによれば、ユーザ端末から送信された要求情報と、他のユーザ端末から送信された他の要求情報とを組み合わせることにより、特典情報データベースから新たな特典情報（合成特典情報）を抽出し、ユーザ端末に配信することが行われる。これにより、当初の特典情報よりも有利な合成特典情報の配信を受ける可能性が期待される。なお、抽出された合成特典情報は、要求情報を送信したユーザ端末と他の要求情報を送信した他のユーザ端末に同一のものが配信されるものであっても、それぞれ異なる合成特典情報が配信されるものであっても構わない。
【００１４】
また、配信される合成特典情報は、当初特典情報よりも有利なものが必ず配信されるとは限らず、有利性にほとんど変化のないものや、却って不利な合成特典情報が配信されるものであってもよい。すなわち、要求情報及び他の要求情報の組合せによって合成特典情報を抽出する際に、“抽選”の要素を加えることができる。これにより、特典の提供を受けるユーザは、当初の特典情報から配信される合成特典情報を予測することができないため、どのような合成特典情報が配信されるかについての期待感を持ちながら当該合成特典情報の配信を待つことができる。すなわち、特典情報に基づく合成に娯楽性を付与することができる。そのため、本発明の特典情報配信システムに興味を抱き、一種のゲーム感覚で参加するユーザの増加を期待することができる。特に、居酒屋等の飲食店において、複数のメンバーが集まって飲食を行っている状況で、本発明の特典情報配信システムが一つの話題として提供されることとなり、当該話題に参加するために、メンバー全員がその場で必要なアプリを自らが主体的にインストールする行動を促進させることができる。これにより、特典情報の配信を行うユーザ数（配信数）を増加させることができるとともに、多くのユーザにかかる属性情報の取得が容易に行える。
【００１５】
管理サーバは、例えば、一般的なサーバコンピュータを利用して構成することが可能であり、クーポンを配信する店舗などの施設等に設置されるもの、又は当該施設等から委託された本発明の特典情報配信システムの管理及び運営を行う運営会社等によって設置されるものである。ここで、複数の店舗を有し、フランチャイズ等のチェーン展開を行う施設等では、それぞれの店舗ごと又は各店舗で共通利用可能な特典情報をユーザ端末に配信することができる。一方、ユーザ端末は、例えば、通信機能を有する携帯電話、スマートフォン、タブレット端末、及びノート型パーソナルコンピュータ等の、施設等の店舗内に持ち込み、その場でアプリのインストールやメールマガジンへの登録等が可能な携帯情報端末の使用が想定される。なお、施設等が設置した無線ＬＡＮ等のアクセスポイントに接続可能な通信機能を有するものであっても構わない。また、管理サーバ及びユーザ端末が接続される通信ネットワークは、インターネットや携帯通信会社が構築した高速データ通信用の電気通信回線等が利用可能である。
【００１６】
本発明の特典情報配信システムは、上記構成に加え、「前記ユーザ端末は、前記ユーザ端末に対して行われる動作及び／又は前記ユーザ端末の姿勢を検知する端末検知部を、さらに有し、前記要求情報送信部は、前記端末検知部によって前記動作及び／又は前記姿勢を検知すると、前記ユーザ端末から前記管理サーバに前記要求情報の送信を開始する」ものであってもよい。
【００１７】
したがって、本発明の特典情報配信システムによれば、端末検知部によってユーザ端末に対して行われる動作やユーザ端末の姿勢等が検知され、これに基づいて管理サーバへの要求情報の送信が開始される。ここで、ユーザ端末に対して行われる動作とは、例えば、ユーザ端末を上下方向や左右方向に激しく振って所定の振幅以上や加速度以上の振動を与えるものや、ユーザ端末を持った腕を回し、ユーザ端末に円運動をさせるもの等が挙げられる。一方、ユーザ端末の姿勢の検知とは、例えば、ユーザに対して正対させた端末画面を、前後又は左右方向に所定角度、傾斜させた姿勢を検知するものや、ある特定の姿勢から別の特定の姿勢に変化させるものなどが挙げられる。かかる場合、ユーザ端末に予め内蔵された振動検知センサ、加速度センサ、ジャイロセンサ、及びコンパス機能等を用いて、上記動作や姿勢を検知することができる。また、複数の動作や姿勢を組み合わせて検知をするものであっても構わない。
【００１８】
このとき、ユーザ端末の端末画面に、管理サーバから配信された特典情報を予め表示させておき、要求情報の送信を待機する状態とし、かかる状態で振動等のユーザ端末に対する各種動作や姿勢を検知し、要求情報を送信するものであってもよい。これにより、ユーザが本来意図しないタイミングで、ユーザ端末から要求情報が管理サーバに送信されることを防ぐことができる。
【００１９】
本発明の特典情報配信システムは、上記構成に加え、「前記ユーザ端末は、前記ユーザ端末の端末位置にかかる位置情報を取得する位置情報取得部を、さらに有し、前記要求情報送信部は、前記要求情報に前記位置情報を含めて前記管理サーバに送信し、前記管理サーバの前記ユーザ端末検出部は、前記位置情報に基づいて、前記他のユーザ端末を検出する位置情報検出部を、さらに有する」ものであってもよい。
【００２０】
したがって、本発明の特典情報配信システムによれば、ユーザ端末の位置情報に基づいて他のユーザ端末を検出することが可能となる。ここで、位置情報取得部とは、例えば、スマートフォンに内蔵されているＧＰＳセンサ等の機能を用いることができる。また、ユーザ端末が無線ＬＡＮ環境に接続されている場合には、当該無線ＬＡＮ環境におけるアクセスポイントの位置を位置情報として取得及び検出するものであってもよい。これにより、ユーザ端末の端末位置にかかる位置情報を取得し、要求情報に当該位置情報を含めて管理サーバに送信することが可能となる。
【００２１】
一方、位置情報を含む要求情報を受信した管理サーバは、特定された端末位置から、同様に位置情報を含む他の要求情報を管理サーバに送信した他のユーザ端末の有無を検出する。例えば、ＧＰＳセンサ等の位置情報取得部によって位置情報を取得した場合、ユーザ端末の端末位置から半径５ｍ以内に位置する他のユーザ端末の有無を検出する。また、無線ＬＡＮ環境においてアクセスポイントの位置等の設置情報を位置情報として取得した場合には、同一のアクセスポイントから他の要求情報を送信した他のユーザ端末の有無が検出される。これにより、ユーザ端末の周囲又は同一の店舗内で他の要求情報を送信した他のユーザの検出が可能となり、これらのユーザ端末及び他のユーザ端末を関連付けることにより、合成特典情報の抽出が行われる。なお、位置情報に基づく他のユーザ端末の検出は、ユーザ端末の近隣位置に位置するものに限定されるものではなく、ユーザ端末が指定した特定の場所や領域に位置する他のユーザ端末を検出するものであっても構わない。
【００２２】
本発明の特典情報配信システムは、上記構成に加え、「前記ユーザ端末は、前記要求情報の送信時刻にかかる時刻情報を取得する時刻情報取得部を、さらに有し、前記要求情報送信部は、前記要求情報に前記時刻情報を含めて前記管理サーバに送信し、前記管理サーバの前記ユーザ端末検出部は、前記時刻情報に基づいて、前記ユーザ端末の送信時刻から規定時間内に前記他の要求情報を送信した前記他のユーザ端末を検出する時刻情報検出部を、さらに有する」ものであってもよい。
【００２３】
したがって、本発明の特典情報配信システムによれば、ユーザ端末から送信される要求情報の送信時刻に基づいて他のユーザ端末を検出することができる。送信時刻にかかる時刻情報を要求情報に含めることにより、当該送信時刻から規定の時間内（例えば、要求情報の送信の前後１分以内）に同様に、要求情報を送信した他のユーザ端末を検出することができる。なお、前述の位置情報及び上記時間情報による検出を組み合わせることにより、同一店舗でほぼ同じタイミングで要求情報及び他の要求情報をそれぞれ送信したユーザ端末及び他のユーザ端末を検出することができる。
【００２４】
本発明の特典情報配信システムは、上記構成に加え、「前記合成特典情報抽出部は、前記要求情報及び前記他の要求情報の組合せに基づいて前記特典情報データベースから抽出される前記合成特典情報を、予め規定された合成規制条件に従って規制する規制抽出部を、さらに有する」ものであってもよい。
【００２５】
したがって、本発明の特典情報配信システムによれば、特典情報データベースから抽出される合成特典情報を、合成規制条件に従って規制することができる。例えば、予め管理サーバ等に登録されたユーザの属性情報に基づいて規制することができる。具体的に説明すると、少なくとも一方のユーザの属性情報が２０歳未満の場合には、特典情報データベースの中からアルコール類に関する新たな特典情報（合成特典情報）を抽出しないように設定することができる。
【００２６】
上記の課題を解決するために、本発明の例示的側面としての特典情報配信プログラムは、「ユーザに付与される特典にかかる特典情報を、通信ネットワークに接続された管理サーバからユーザ端末に配信する特典情報配信システムに用いられる特典情報配信プログラムであって、複数の前記特典情報をデータベース化して記憶した特典情報データベースを有するサーバ側記憶手段、前記ユーザ端末から送信される前記特典情報の合成要求にかかる要求情報を、前記通信ネットワークを通じて受信する要求情報受信手段、受信した前記要求情報に基づいて、前記通信ネットワークを通じて他の要求情報を送信した他のユーザ端末を検出するユーザ端末検出手段、前記他のユーザ端末が検出されると、前記要求情報及び前記他の要求情報の組合せに基づいて、前記特典情報データベースから合成特典情報を抽出する合成特典情報抽出手段、及び、抽出された前記合成特典情報を前記ユーザ端末に向けて、前記通信ネットワークを通じて配信する合成特典情報配信手段として、前記管理サーバを機能させ、前記管理サーバから前記通信ネットワークを通じて配信される前記特典情報を受信する特典情報受信手段、前記管理サーバに前記通信ネットワークを通じて前記特典情報を含む前記要求情報を送信する要求情報送信手段、前記管理サーバから前記通信ネットワークを通じて配信される前記合成特典情報を受信する合成特典情報受信手段として、前記ユーザ端末を機能させる」ものである。
【００２７】
上記の課題を解決するために、本発明の例示的側面としての特典情報配信方法は、「ユーザに付与される特典にかかる特典情報を、通信ネットワークに接続された管理サーバからユーザ端末に配信する特典情報配信システムに用いられる特典情報配信方法であって、前記管理サーバは、複数の前記特典情報をデータベース化して特典情報データベースを記憶するステップと、前記ユーザ端末から送信される前記特典情報の合成要求にかかる要求情報を、前記通信ネットワークを通じて受信するステップと、受信した前記要求情報に基づいて、前記通信ネットワークを通じて他の要求情報を送信した他のユーザ端末を検出するステップと、前記他のユーザ端末が検出されると、前記要求情報及び前記他の要求情報の組合せに基づいて、前記特典情報データベースから合成特典情報を抽出するステップと、抽出された前記合成特典情報を前記ユーザ端末に向けて、前記通信ネットワークを通じて配信するステップと、を実行し、記ユーザ端末は、前記管理サーバから前記通信ネットワークを通じて配信される前記特典情報を受信するステップと、前記管理サーバに前記通信ネットワークを通じて前記特典情報を含む前記要求情報を送信するステップと、前記管理サーバから前記通信ネットワークを通じて配信される前記合成特典情報を受信するステップと、を実行する」ものである。
【００２８】
したがって、本発明の特典情報配信プログラムによれば、プログラムを実行することにより、上述の特典情報配信システムにかかる作用効果を奏することができる。同様、本発明の特典情報配信方法によれば、上述の特典情報配信システムにかかる作用効果を奏することができる。
【００２９】
本発明のさらなる目的又はその他の特徴は、以下添付図面を参照して説明される好適な実施の形態によって明らかにされるであろう。
【発明の効果】
【００３０】
本発明の特典情報配信システム等によれば、各々のユーザ端末に配信された特典情報を組み合わせることで、ユーザにとってより有利な特典の合成特典情報を配信することが可能となるとともに、特典情報を配信する施設等にとって、アプリのダウンロード数やインストール数、又はウェブサイトへの登録数の増加が期待される。
【図面の簡単な説明】
【００３１】
【図１】本発明の実施形態１にかかる特許情報配信システムの全体構成を示す概略構成図である。
【図２】特典情報配信システムによる特典情報の合成処理の一例を模式化して示す説明図である。
【図３】特典情報配信システムにおける管理サーバ及びユーザ端末の機能的構成を示すブロック図である。
【図４】特典情報配信システムにおける管理サーバ及びユーザ端末の動きを示すフローチャートである。
【図５】特典情報配信システムにおける管理サーバ及びユーザ端末の動きを示すフローチャートである。
【発明を実施するための形態】
【００３２】
以下、本発明の実施形態１にかかる特典情報配信システムＤＳ（以下、「配信システムＤＳ」と省略する。）について、図面を用いて説明する。ここで、図１は、配信システムＤＳの全体構成を示す概略構成図であり、図２は、配信システムＤＳによる特典情報ＦＣの合成処理の一例を模式化して示す説明図であり、図３は、配信システムＤＳにおける管理サーバ１０及び各ユーザ端末２０ａ，２０ｂの機能的構成を示すブロック図であり、図４及び図５は、配信システムＤＳにおける管理サーバ１０及びユーザ端末の動きを示すフローチャートである。実施形態１の配信システムＤＳは、居酒屋等の飲食店の店舗ＳＨ（施設等）において使用可能な特典（いわゆる「クーポン」）にかかる特典情報ＦＣを、施設等から委託された当該配信システムＤＳの運営会社ＣＯが設置した管理サーバ１０から配信する例を想定して特に説明を行うものとする。
【００３３】
実施形態１にかかる配信システムＤＳは、図１に示すように、管理サーバ１０を有して大略構成されている。ここで、管理サーバ１０は、前述のように特典情報ＦＣの配信等の管理業務を行う運営会社ＣＯによって設置されたものであり、一方、ユーザ端末２０ａ，２０ｂは、それぞれ配信システムＤＳを通じて店舗ＳＨで利用可能な特典にかかる特典情報ＦＣの配信を受けるユーザＵ１，Ｕ２（図２参照）が使用するものである。
【００３４】
管理サーバ１０、ユーザ端末２０ａ，２０ｂは、インターネット回線ＩＮ（本発明における通信ネットワークに相当）を介して互いに接続され、後述する種々の情報等の送受が可能になっている。なお、実施形態１において、各ユーザ端末２０ａ，２０ｂには、特典情報ＦＣを受信したり、受信した特典情報ＦＣにかかる特典画像ＣＩを端末画面２１に表示したりする機能を有する、クーポン受信機能を有する“アプリ（本発明における特典情報配信プログラムの一部構成に相当）”が予めインストールされ、各ユーザ端末２０ａ，２０ｂにおいて当該アプリが起動可能となっている。
【００３５】
ユーザ端末２０ａ，２０ｂに上記アプリをインストールする際には、各ユーザＵ１，Ｕ２のユーザ名（アプリ登録名）、性別、年齢、居住地域を含む属性情報ＡＩが入力され、インターネット回線ＩＮを通して管理サーバ１０に予め送信され、管理サーバ１０の属性情報データベース１２に蓄積されている。ここで、属性情報ＡＩは、ユーザＵ１，Ｕ２が使用するユーザ端末２０ａ，２０ｂを特定するための、各ユーザ端末２０ａ，２０ｂに固有の端末情報ＤＩと関連付けて記憶されている。
【００３６】
管理サーバ１０の内部には、ユーザ端末２０ａ，２０ｂにそれぞれ配信可能な店舗ＳＨが提供可能な特典にかかる複数の特典情報ＦＣをデータベース化した特典情報データベース１３が構築され、前述の属性情報データベース１２とともにサーバ側記憶部１１に記憶されている。
一方、ユーザ端末２０ａ，２０ｂは、特典情報ＦＣによる特典の提供を受けるユーザＵ１，Ｕ２がそれぞれ使用する携帯情報端末であって、携帯電話、スマートフォン、タブレット端末、及びノート型パーソナルコンピュータ等のインターネット回線ＩＮとの接続機能を有し、持ち運び可能なものを使用することができる。これにより、管理サーバ１０から配信された特典情報ＦＣ（又は、合成特典情報ＳＣ）を受信し、端末画面２１に特典情報ＦＣ等にかかる特典画像ＣＩを表示し、店舗ＳＨで店舗スタッフに提示することにより、特典画像ＣＩに表示された内容に応じた特典の提供をユーザＵ１，Ｕ２は受けることができる。なお、店舗ＳＨにユーザ端末２０ａ，２０ｂを持込み、提示する必要があるため、携帯性に優れるとともに、アプリのインストール等が容易なスマートフォンや携帯電話の使用が特に好適である。
【００３７】
次に、インターネット回線ＩＮに接続された管理サーバ１０及び各ユーザ端末２０ａ，２０ｂのそれぞれの機能的構成について説明する。ここで、実施形態１の配信システムＤＳにおいて、主に他のユーザ端末として作用するユーザ端末２０ｂは、ユーザ端末２０ａと同一の機能的構成を有するため、図示を簡略化している。
【００３８】
管理サーバ１０は、図３に示すように、前述した属性情報データベース１２、特典情報データベース１３、及び要求情報ＲＩ，ＲＩ’を記憶可能なサーバ側記憶部１１と、特典情報データベース１３から予め規定された抽出条件に基づいて特典情報ＦＣを抽出し、各ユーザ端末２０ａ，２０ｂに、インターネット回線ＩＮを通じて配信する特典情報抽出配信部１４と、ユーザ端末２０ａ，２０ｂから送信される特典情報ＦＣの合成要求にかかる要求情報ＲＩを受信する要求情報受信部１５と、受信した要求情報ＲＩに基づいて、当該要求情報ＲＩを送信したユーザ端末（例えば、図１及び図２におけるユーザ端末２０ａ）の周囲に位置し、インターネット回線ＩＮを通じて他の要求情報ＲＩ’を送信した他のユーザ端末（図１及び図２におけるユーザ端末２０ｂ）を検出するユーザ端末検出部１６と、受信した要求情報ＲＩ及び他の要求情報ＲＩ’の組み合わせに基づいて特典情報データベース１３の中から合成特典情報ＳＣを抽出する合成特典情報抽出部１７と、ユーザ端末２０ａ，２０ｂに対して、抽出された合成特典情報ＳＣを、インターネット回線ＩＮを通じて配信する合成特典情報配信部１８と、を有して大略構成されている。ここで、複数の要求情報ＲＩ，ＲＩ’に基づいて特典情報データベース１３から合成特典情報ＳＣを抽出する処理を、本明細書において“合成”というものと定義する。
【００３９】
管理サーバ１０は、上記構成に加え、ユーザ端末検出部１６において、ユーザ端末２０ａ，２０ｂから送信される要求情報ＲＩ，ＲＩ’に含まれる位置情報ＰＩに基づいて、ユーザ端末２０ａの端末位置（現在位置）を特定するとともに、特定された端末位置から、予め設定された規定距離内（ここでは、端末位置から半径５ｍ以内等に設定）に位置する、他のユーザ端末２０ｂを検出する位置情報検出部１６ａと、送信される要求情報ＲＩ，ＲＩ’に含まれる、それぞれの送信時刻にかかる時刻情報ＴＩに基づいて、ユーザ端末２０ａから要求情報ＲＩが送信された時刻から予め設定された規定時間内（ここでは、要求情報ＲＩの送信から前後１分以内等）に、他の要求情報ＲＩ’を送信した他のユーザ端末２０ｂを検出する時刻情報検出部１６ｂとを、さらに有している。
【００４０】
これにより、位置情報ＰＩ及び時刻情報ＴＩを組み合わせて他のユーザ端末２０ｂを特定することができる。すなわち、同じ店舗ＳＨに位置し、ほぼ同じタイミングで要求情報ＲＩ，ＲＩ’を送信した少なくとも一組のユーザ端末２０ａ，２０ｂを管理サーバ１０が関連付けることができる。なお、他のユーザ端末２０ｂの検出に一定の制限を課すことも可能である。ユーザ端末検出部１６において、上記位置情報ＰＩ及び時刻情報ＴＩに基づいて他のユーザ端末２０ｂを検出する場合、要求情報ＲＩを送信したユーザ端末２０ａを使用するユーザＵ１の友人のユーザＵ２の使用する他のユーザ端末２０ｂを検出するように設定することができる。
【００４１】
この場合、要求情報ＲＩを送信する際に、他のユーザ端末の検出対象を“友人限定”にする情報を併せて送信することにより、予めユーザＵ１が登録したユーザ端末のみをその検出対象とすることができる。これにより、全く無関係のユーザ同士が特典情報ＦＣに基づく合成特典情報ＳＣの合成処理を行うことが規制される。一方、上記のような他のユーザ端末２０ｂの検出制限をなくすことにより、同じ店舗ＳＨや近隣に位置する全く面識がないユーザＵ１，Ｕ２同士であっても、特典情報ＦＣを含む要求情報ＲＩ，ＲＩ‘の送信によって互いに知り合うきっかけを創り出すことができる。
【００４２】
さらに、管理サーバ１０の合成特典情報抽出部１７において、合成規制条件に基づいて、特定の合成特典情報ＳＣを選択的に抽出、又は、抽出除外する規制抽出部１７ａを、有している。これにより、合成特典情報抽出部１７によって特典情報データベース１３から合成（抽出）された合成特典情報ＳＣであっても、上記合成規制条件に合致する場合、ユーザ端末２０ａ，２０ｂへの配信を行うことなく、改めて合成特典情報ＳＣの再抽出が行われる。また、その他構成として、管理サーバ１０は、上述の特典情報ＦＣ等の種々の情報を、インターネット回線ＩＮを通じて送受するための通信機能を有するサーバ側通信部１９を有している。また、管理サーバ１０を構成する、サーバコンピュータの備える一般的な構成及び機能については、周知であるためここでは図示及び説明を省略する。
【００４３】
一方、ユーザ端末２０ａ，２０ｂは、その機能的構成として、図３に示すように、管理サーバ１０からインターネット回線ＩＮを通じて配信された特典情報ＦＣを受信する特典情報受信部２２と、管理サーバ１０に対してインターネット回線ＩＮを通じて特典情報ＦＣの合成要求にかかる要求情報ＲＩを送信する要求情報送信部２３と、要求情報ＲＩの送信に応じて管理サーバ１０からインターネット回線ＩＮを通じて配信される合成特典情報ＳＣを受信する合成特典情報受信部２４と、を有して大略構成されている。
【００４４】
さらに、ユーザ端末２０ａ，２０ｂは、上記構成に加え、ユーザ端末２０ａ等に対して加えられる振動Ｖを検知する振動検知センサに相当する振動検知部２５（本発明における端末検知部に相当）と、振動検知部２５が規定の振動条件以上の振動Ｖを検知すると、ユーザ端末２０ａ等の端末位置にかかる位置情報ＰＩを取得するＧＰＳセンサに相当する位置情報取得部２６と、要求情報ＲＩを送信する際に送信時刻にかかる時刻情報ＴＩを取得する時刻情報取得部２７と、をさらに有している。また、振動Ｖの検知に基づいて取得した位置情報ＰＩ及び時刻情報ＴＩを含む要求情報ＲＩを、管理サーバ１０に対してインターネット回線ＩＮを通じて送信する振動送信部２３ａが要求情報送信部２３の中に含まれて構成されている。また、要求情報ＲＩの送信の際には、ユーザ端末２０ａ，２０ｂを特定する端末情報ＤＩも併せて送信される。
【００４５】
ユーザ端末２０ａ，２０ｂは、受信した特典情報ＦＣ及び合成特典情報ＳＣ等の各種情報を記憶する端末側記憶部２８と、受信した特典情報ＦＣ及び合成特典情報ＳＣを表示する端末画面２１（端末側表示部）と、ユーザ端末２０ａ，２０ｂを操作するためのタッチパネル機能又は複数の操作ボタンから構成される操作部３０（図１参照）と、上述の特典情報ＦＣ等の各種情報を、インターネット回線ＩＮを通じて送受するための通信機能を有する端末側通信部２９とを有している。また、ユーザ端末２０ａ，２０ｂを構成する、携帯情報端末の備える一般的な構成及び機能については、周知であるためここでは図示及び説明を省略する。
【００４６】
上記構成を備えることにより、管理サーバ１０は、特典情報データベース１３から特典情報ＦＣの抽出を行い、抽出結果に応じて各ユーザ端末２０ａ，２０ｂにそれぞれの特典情報ＦＣの配信を行う。なお、特典情報ＦＣの抽出及び配信の頻度は、特に限定されるものではなく、例えば、１日１回のように定期的に実施するもの、又は、新メニュー等のＰＲ開始時期に応じて不定期的に実施するものであっても構わない。また、特典情報データベース１３に格納される特典情報ＦＣの内容や抽出条件は、管理サーバ１０を管理する運営会社ＣＯ又は特典を付与する店舗ＳＨが任意に変更及び調整することができる。
【００４７】
ユーザ端末２０ａ，２０ｂに配信される特典情報ＦＣには、ユーザＵ１，Ｕ２に付与される特典の内容を示す特典表示部Ｃａ、特典の内容を図形化して示す特典図形部Ｃｂ、及び、特典の有利性に基づいてランク付けした特典ランク部Ｃｃにかかる情報が含まれている（図２参照）。ここで、特典ランク部Ｃｃは、実施形態１においては、有利性が高い順に、“ランクＳ”、“ランクＡ”、“ランクＢ”、及び“ランクＣ”のように、四つの階級に大別されている。また、各ランクにおいて、例えば、“ランクＡ＋（プラス）”や“ランクＢ−（マイナス）”のように、さらに各ランクを細別化したものであってもよい。付与される特典の有利性が高い“ランクＳ”（例えば、“飲食代金５０％ＯＦＦ！”等）の特典にかかる特典情報ＦＣを多く配信すると、店舗ＳＨにとっては収益性の点で問題となることが多い。そのため、特典情報抽出配信部１４において、“ランクＳ”にかかる特典情報ＦＣの抽出確率が低くなるように設定して希少性（レア性）を高め、店舗ＳＨにとって大きな不利益を被ることがないようにすることができる。
【００４８】
一方、“ドリンク２０円引き”のような店舗ＳＨにとって大きな不利益を被る可能性が小さいものに関しては、“ランクＣ”に設定し、その抽出確率を高める設定とする。これにより、抽出確率の高い特典情報ＦＣが抽出され易くなる。なお、同様の処理を合成特典情報ＳＣの抽出の際に行うものであっても構わない。上記のようにそれぞれの特典情報ＦＣの抽出確率をランクごとに調整するものを示したが、当該抽出確率をすべての特典情報ＦＣに対して同一とし、特典情報データベース１３の中から無作為に抽出するものであっても構わない。また、特典情報ＦＣを抽出する際に、一定の条件を設けることができる。例えば、属性情報データベース１２に記憶された属性情報ＡＩを参照し、ユーザＵ１，Ｕ２が未成年である場合には、アルコールに関する特典情報ＦＣが抽出されることがない等、年齢や性別等に応じた条件抽出を行うものであってもよい。
【００４９】
管理サーバ１０は、特典情報ＦＣを配信した後、ユーザ端末２０ａから送信される合成要求にかかる要求情報ＲＩを受信し、同様に管理サーバ１０に対して他の要求情報ＲＩ’を送信した“他のユーザ端末２０ｂ”を検出し、要求情報ＲＩ及び他の要求情報ＲＩ’の組み合わせに基づいて合成特典情報ＳＣを特典情報データベース１３から抽出する。これにより、各ユーザ端末２０ａ，２０ｂに各々配信された特典情報ＦＣを少なくとも二つ以上組み合わせ、特典情報データベース１３の中から新たな特典情報（合成特典情報ＳＣ）を合成することができる。
【００５０】
その結果、当初配信された特典情報ＦＣと比べ、有利な特典の提供を受ける可能性がユーザＵ１，Ｕ２にとって期待される。より有利な特典の提供を受ける可能性を有する。これにより、特典情報ＦＣによる合成特典情報ＳＣの合成を希望するユーザＵ１，Ｕ２が増加する可能性が高くなり、実施形態１にかかる配信システムＤＳの利用が活発化する。
【００５１】
さらに、規制抽出部１７ａによる合成規制条件に基づいて、合成処理される合成特典情報ＳＣの特典の内容に一定の規制を行うことができる。例えば、前述した特典情報抽出配信部１４と同様に、要求情報ＲＩ，ＲＩを送信したユーザ端末２０ａ，２０ｂを使用するいずれか一方のユーザＵ１，Ｕ２が未成年の属性情報ＡＩを有する場合には、アルコールに関する特典の内容を示す合成特典情報ＳＣを付与しないようにすることができる。また、特典情報ＦＣの合成にゲーム性又は娯楽性を付与するために、前述の特典ランク部Ｃｃを合成によってランクアップするように規制することができる。
【００５２】
例えば、図２に示すように、合成対象の特典情報ＦＣがいずれも“Ｃランク”の特典ランク部Ｃｃの情報を含む場合、これによって合成される合成特典情報ＳＣの特典ランク部Ｃｃを少なくとも“Ｂランク”以上になるように設定したり、当初の特典情報ＦＣの特典ランク部Ｃｃよりも合成特典情報ＳＣの特典ランク部Ｃｃがランクダウンしないように設定したりすることもできる。さらに、各要求情報ＲＩ，ＲＩ’に含まれる特典情報ＦＣに応じて、抽出（合成）可能な合成特典情報ＳＣに合成可能リストを作成し、それに基づいて合成特典情報ＳＣを合成するものであってもよい。例えば、それぞれの特典情報ＦＣの特典表示部Ｃａに含まれる素材（“トマト”、“チーズ”等）を組み合わせ、当該素材を用いたメニューにかかる合成特典情報ＳＣを選択的に合成するものであっても構わない。さらに、前述した特典情報抽出配信部１４と同様に、合成特典情報ＳＣの抽出の際に“抽選”の要素を加えることもできる。
【００５３】
ユーザ端末２０ａから送信された要求情報ＲＩの中には、位置情報ＰＩ及び時刻情報ＴＩが含まれ、これらの情報に基づいてユーザ端末２０ａの周囲に位置する他のユーザ端末２０ｂを検出することができる。なお、位置情報ＰＩの取得は、ユーザ端末２０ａ，２０ｂに内蔵されたＧＰＳセンサ等の周知の位置情報取得機能を利用することができ、端末位置の緯度及び経度を正確に把握することができる。一方、時刻情報ＴＩの取得はユーザ端末２０ａ等に内蔵された時計機能を利用することで取得することができる。
【００５４】
位置情報ＰＩ及び時刻情報ＴＩを組み合わせることにより、例えば、ユーザ端末２０ａが要求情報ＲＩを管理サーバ１０に送信した場合において、当該ユーザ端末２０ａの端末位置の近隣に位置し（例えば、半径５ｍ以内等）、かつ、要求情報ＲＩの送信から１分以内に、同様に管理サーバ１０に対して要求情報（他の要求情報ＲＩ’）を送信した条件に合致する他のユーザ端末２０ｂを検出することができる。すなわち、“ほぼ同じ場所”で、“ほぼ同じ時刻”に位置する少なくとも二つのユーザ端末２０ａ，２０ｂを管理サーバ１０は関連付けることができる。要求情報ＲＩ，ＲＩ’の送信を示し合わせて行った友人同士等のユーザＵ１，Ｕ２のユーザ端末２０ａ，２０ｂの関連付けが可能となる。
【００５５】
ユーザ端末２０ａ，２０ｂの関連付けの後、それぞれの要求情報ＲＩ，ＲＩ’に基づいて合成特典情報ＳＣの合成処理が為され、各ユーザ端末２０ａ，２０ｂに対して合成特典情報ＳＣが配信される。ここで、ユーザ端末２０ａの端末位置からの規定距離及び要求情報ＲＩの送信時刻からの許容時間差は、それぞれ任意に設定することができる。さらに、店舗ＳＨにおいて、偶然隣り同士となった互いに面識のないユーザＵ１，Ｕ２同士であっても、上記の検出条件に合致すれば合成特典情報ＳＣの合成が行われることとなり、ユーザＵ１，Ｕ２が知り合うきっかけを作ることができる。
【００５６】
一方、ユーザ端末２０ａ，２０ｂは、管理サーバ１０から配信される特典情報ＦＣを受信し、当該特典情報ＦＣに基づいて新たな特典情報（合成特典情報ＳＣ）の配信を求める、要求情報ＲＩを送信することができる。このとき、特典情報ＦＣの合成要求にかかる要求情報ＲＩには、特典情報ＦＣに関する情報に加え、端末位置にかかる位置情報ＰＩ、送信時刻にかかる時刻情報ＴＩ，及び、各ユーザ端末２０ａ，２０ｂに固有の端末情報ＤＩが含まれ、これら複数の情報を統合して管理サーバ１０に対して送信される。管理サーバ１０は、要求情報ＲＩを受信することにより、要求情報ＲＩを送信したユーザ端末２０ａの特定、合成対象の基礎となる特典情報ＦＣの認識、近隣に位置する他のユーザ端末２０ｂ等の検出にかかる処理を行うことができる。
【００５７】
ここで、要求情報ＲＩ，ＲＩ’の送信は、振動検知部２５がユーザ端末２０ａ，２０ｂに加わった規定以上の振動Ｖを検知することで開始される。すなわち、ユーザＵ１，Ｕ２がユーザ端末２０ａ，２０ｂを把持し、上下左右に振る動作を行い、振動Ｖを与えることより要求情報ＲＩ，ＲＩ’の送信が開始される。規定以上の振動とは、例えば、単位時間当たりの振動回数（例えば、“１秒間に５回”等）や規定の加速度以上の振動Ｖが検知されたなどの条件が予め規定されたものである。
【００５８】
特に、店舗ＳＨに来店したユーザＵ１，Ｕ２が自らのユーザ端末２０ａ，２０ｂを振るといった、周囲から見ると少し奇異に映る動作（アクション）を行うことにより、ユーザＵ１，Ｕ２の周囲の人々（店舗ＳＨのその他の来店客等）も当該アクションに興味を示し、自らもそのアクションを行い、特典情報ＦＣの合成を求める場合もある。すなわち、本発明の配信システムＤＳを広めたり、利用を勧めたりする宣伝活動をユーザＵ１，Ｕ２自らが行い、配信システムＤＳの利用者を増加させる効果が期待される。これにより、配信システムＤＳの利用者が増加することが期待される。なお、要求情報ＲＩ，ＲＩ’の送信の開始は、上記振動Ｖの検知に限定されるものではなく、ユーザ端末２０ａ，２０ｂに対して行われるその他の動作やユーザ端末２０ａ，２０ｂの特定の姿勢を検知するものであってもよい。さらに、ユーザ端末２０ａ，２０ｂに振動Ｖを加える動作等が、その場の状況において相応しくない場合には、例えば、端末画面２１に表示された送信ボタン（図示せず）をタッチする等の、通常のメール送信と同様の送信動作で要求情報ＲＩ，ＲＩ’を送信してもよい。
【００５９】
次に、本発明の特典情報配信プログラムに基づく実施形態１にかかる配信システムＤＳの動作（本発明の特典情報配信方法に相当。）について、主に図４及び図５に示すフローチャートを用いて説明する。ここで、管理サーバ１０及び各ユーザ端末２０ａ，２０ｂは、それぞれ予め起動した状態にセットされ、互いの間で種々の上方の送受が可能となっている。
【００６０】
はじめに、管理サーバ１０は、抽出条件に基づいて特典情報データベース１３の中から特典情報ＦＣを抽出し（Ｓ１）、インターネット回線ＩＮを通じてユーザ端末２０ａ，２０ｂにそれぞれ配信する（Ｓ２）。特典情報ＦＣの配信を完了した管理サーバ１０は、ユーザ端末２０ａ，２０ｂのいずれかから送信される要求情報ＲＩの受信有無を検出する（Ｓ３）。なお、特典情報ＦＣの配信はユーザ端末２０ａ，２０ｂからの配信要求に基づいて配信するものであっても、設定された抽出条件に基づいて定期的又は不定期的に配信されるものであってもよい。
【００６１】
また、ユーザ端末２０ａ，２０ｂを構成するＧＰＳセンサ等の位置情報取得部２６を利用し、店舗ＳＨへの近接を検知し（例えば、店舗ＳＨから半径５０ｍ以内）、これに応じて特典情報ＦＣを配信するものであってもよい。さらに、属性情報データベース１２に登録された属性情報ＡＩに基づいて、当該ユーザＵ１，Ｕ２の属性に応じた特典情報ＦＣを選択的に抽出するものであってもよい。これにより、店舗ＳＨにユーザＵ１，Ｕ２を誘導する効果が高くなり、特典情報ＦＣの使用率や合成特典情報ＳＣの合成要求の数が多くなる。また、店舗ＳＨ側が特典情報ＦＣの内容を適宜変更することができるものであっても構わない。
【００６２】
一方、ユーザ端末２０ａは、管理サーバ１０から配信される特典情報ＦＣの受信の有無を検出し（Ｔ１）、当該特典情報ＦＣの受信が検出される場合（Ｔ１においてＹＥＳ）、この特典情報ＦＣをユーザ端末２０ａにおいて受信する（Ｔ２）。特典情報ＦＣの受信が検出されない場合（Ｔ１においてＮＯ）、ユーザ端末２０ａは特典情報ＦＣの受信検出にかかる処理を継続する。特典情報ＦＣを受信したユーザ端末２０ａは、特典情報ＦＣに基づく特典表示部Ｃａ等を含む特典画像ＣＩを端末画面２１に表示し、要求情報ＲＩにかかる送信待機の状態にする（Ｔ３）。なお、ユーザ端末２０ａにかかる処理は、同様に他のユーザ端末２０ｂにおいても実施されている（以下、同じ。）。
【００６３】
ユーザＵ１が特典情報ＦＣの合成要求を行う場合、ユーザ端末２０ａを振り、規定以上の振動Ｖを加えるアクションを行う。ユーザ端末２０ａは、かかる振動Ｖが加えられたか否かを検知する（Ｔ４）。規定以上の振動Ｖを検知すると（Ｔ４においてＹＥＳ）、送信待機の状態を確認し（Ｔ５においてＹＥＳ）、ユーザ端末２０ａの端末位置にかかる位置情報ＰＩを、位置情報取得部２６を通じて取得し（Ｔ６）、ユーザ端末２０ａを特定するための端末情報ＤＩを取得し（Ｔ７）、要求情報ＲＩを送信する送信時刻にかかる時刻情報ＴＩを、時刻情報取得部２７を通じて取得する（Ｔ８）。ここで、端末情報ＤＩは、予め端末側記憶部２８に記憶されたものを読み出すことにより取得する。
【００６４】
位置情報ＰＩ、端末情報ＤＩ、及び時刻情報ＴＩを取得したユーザ端末２０ａは、これらの情報及び受信した特典情報ＦＣを含み、特典情報ＦＣの合成を要求する要求情報ＲＩを、インターネット回線ＩＮを通じて管理サーバ１０に送信する（Ｔ９）。ここで、位置情報ＰＩを取得するステップＴ６から要求情報ＲＩを送信するステップＴ９までの処理は、ユーザ端末２０ａにおいてほぼ同じタイミングで処理されるため、ステップＴ９における要求情報ＲＩの直前に時刻情報ＴＩを取得しても、実質的に要求情報ＲＩの送信時刻が変化することがない。
【００６５】
要求情報ＲＩを送信したユーザ端末２０ａは、その後に管理サーバから配信される合成特典情報ＳＣ等の受信有無を検出するまで待機する（Ｔ１０）。ここで、規定以上の振動Ｖを検知しない場合（Ｔ４においてＮＯ）、又はユーザ端末２０ａが送信待機の状態にセットされていない場合（Ｔ５においてＮＯ）は、ステップＴ４の処理に復帰し、改めて規定条件以上の振動Ｖを検知する処理を継続する。ここで、規定条件以上の振動Ｖを検知しない場合は要求情報ＲＩの送信を開始することができず、仮に振動Ｖを検知したとしても、送信待機の状態になっていなければ要求情報ＲＩの送信が開始されない。例えば、ユーザ端末２０ａを落として衝撃が加わった場合に規定以上の振動Ｖが検知されても、ユーザＵ１，Ｕ２の意図しないものであるため、要求情報ＲＩの送信がキャンセルされる。これにより、不正な要求情報ＲＩの送信が排除される。
【００６６】
管理サーバ１０は、ユーザ端末２０ａ，２０ｂから送信される要求情報ＲＩの受信有無を検出し（Ｓ３）、当該要求情報ＲＩの受信が検出される場合（Ｓ３においてＹＥＳ）、要求情報ＲＩに含まれる位置情報ＰＩ及び時刻情報ＴＩに基づいて、特典情報ＦＣの合成を行う他の要求情報ＲＩ’を送信した他のユーザ端末２０ｂを検出する（Ｓ４）。ここで、他のユーザ端末２０ｂの検出は、例えば、ユーザ端末２０ａの周囲の半径５ｍ以内に位置し、要求情報ＲＩの送信から一分以内に他の要求情報ＲＩ’を送信した他のユーザ端末２０ｂを検出するように設定することができる。
【００６７】
当該他のユーザ端末２０ｂが検出される場合（Ｓ４においてＹＥＳ）、ユーザ端末２０ａから送信された要求情報ＲＩ及び他のユーザ端末２０ｂから送信された他の要求情報ＲＩ’に基づいて、特典情報データベース１３の中から新たな特典情報（合成特典情報ＳＣ）を抽出する“合成”を行う（Ｓ５）。一方、他のユーザ端末２０ｂが検出されない場合（Ｓ４においてＮＯ）、要求情報ＲＩを送信したユーザ端末２０ａに対して合成不可の通知を行う（Ｓ６）。
【００６８】
ここで、合成の一例を図２に基づいて説明する。この場合、ユーザ端末２０ａを使用するユーザＵ１に付与された“ランクＣ”に該当する「オレンジジュース  ドリンク２０円引き」の特典情報ＦＣと、他のユーザ端末２０ｂを使用するユーザＵ２に付与された同じく“ランクＣ”に該当する「ウォッカ  ドリンク２０円引き」の特典情報ＦＣとを合成することにより、オレンジジュース及びウォッカから作られる「ランクＢ」に該当する“スクリュードライバー  ドリンク１杯無料”の合成特典情報ＳＣが合成される。すなわち、当初配信された特典情報ＦＣと比べ、各ユーザＵ１，Ｕ２に対してそれよりも有利な合成特典情報ＳＣが合成される。また、実際の原料である「オレンジジュース」及び「ウォッカ」の特典情報ＦＣを組み合わせることにより、「スクリュードライバー」の合成特典情報ＳＣを合成することができる。なお、かかる組み合わせによって必ず「スクリュードライバー」の合成特典情報ＳＣが合成される必要はなく、原料との関係からは全く異なる合成特典情報ＳＣが合成されるものであっても構わない。
【００６９】
合成された合成特典情報ＳＣは、規制抽出部１７ａにより合成規制条件に合致するか否かが判断される（Ｓ７）。すなわち、前述したように、“オレンジジュース”と“ウォッカ”の原料の組み合わせから“スクリュードライバー”を合成するような選択的な規制を行うものや、ユーザＵ１，Ｕ２の属性情報ＡＩに基づいて、ユーザＵ１等が未成年である場合に、アルコールに関する合成特典情報ＳＣの合成を規制するような処理を行う。
【００７０】
合成特典情報ＳＣが合成規制条件に合致している場合（Ｓ７においてＹＥＳ）、当該合成特典情報を要求情報ＲＩ、他の要求情報ＲＩ’を送信したユーザ端末２０ａ、他のユーザ端末２０ｂにそれぞれ配信する（Ｓ８）。これにより、管理サーバ１０側における配信システムが終了する（Ｓ９）。一方、合成規制条件に合致しない場合（Ｓ７においてＮＯ）、ステップＳ５の処理に戻り、合成特典情報ＳＣの再抽出（再合成）を実行する。
【００７１】
ユーザ端末２０ａは、管理サーバ１０から配信される合成特典情報ＳＣの受信を検出すると（Ｔ１０においてＹＥＳ）、当該合成特典情報ＳＣを受信する（Ｔ１１）。そして、端末画面２１に合成特典情報ＳＣにかかる合成特典画像ＣＩ’（図２参照）を表示する（Ｔ１２）。これにより、合成特典情報ＳＣに基づく特典の提供を受けることができる。一方、ユーザ端末２０ａが合成特典情報ＳＣの受信を検出しない場合（Ｔ１０においてＮＯ）、管理サーバ１０から送信される合成不可の通知の有無を検出し（Ｔ１３）、当該合成不可の通知が有る場合（Ｔ１３においてＹＥＳ）、端末画面２１にその旨を示す表示をする（Ｔ１４）。一方、合成不可の通知を検出しない場合（Ｔ１３においてＮＯ）、ステップＴ１０の処理に戻り、合成特典情報ＳＣ又は合成不可の通知の検出処理を継続する。合成特典情報ＳＣの合成の表示又は合成不可の表示が端末画面２１において行われると、ユーザ端末２０ａ，２０ｂ側における配信システムＤＳが終了する（Ｔ１５）。
【００７２】
上記に示した通り、実施形態１にかかる配信システムＤＳは、各ユーザ端末２０ａ，２０ｂに配信された特典情報ＦＣを基礎として、新たな合成特典情報ＳＣを合成することができる。そのため、ユーザＵ１，Ｕ２は、当初の特典情報ＦＣよりもより有利な特典の提供を受けることを期待し、合成特典情報ＳＣの合成を配信システムＤＳに対して要求する。この場合、一人のユーザのみでは、特典情報ＦＣの合成処理を行うことができないため、一緒に来店した友人等に対して本システムの使用を勧める。これにより、アプリがインストールされたユーザ端末２０ａ等を増やすことができ、インストールの際に登録されるユーザＵ１，Ｕ２の属性にかかる多くの属性情報ＡＩを容易に入手することができる。その結果、属性情報ＡＩに基づく消費傾向の把握等の有益な情報を、特典を付与する施設等は得ることができる。
【００７３】
特に、要求情報ＲＩを送信する場合、ユーザ端末２０ａ等を振る単純なアクションによって行うことができ、居酒屋等の飲食店で友人同士が楽しみながら、要求情報ＲＩを送信することができる。さらに、一人のユーザがかかるアクションを行うことで、それを見ていた周囲のユーザも参加を希望しやすくなり、必然的に実施形態１にかかる配信システムＤＳに属性情報ＡＩを登録し、参加する人数が増えることとなる。
【００７４】
以上、本発明に好適の実施形態について説明したが、本発明はこれらに限定されるものでなくその要旨を逸脱しない範囲において種々の変形や変更が可能である。
【００７５】
例えば、実施形態１にかかる配信システムＤＳにおいて、一対のユーザ端末２０ａ，２０ｂの間で特典情報ＦＣの合成を行うものを例示したが、これに限定されるものではなく、三つ以上の複数のユーザ端末から各々送信される複数の要求情報ＲＩに基づいて一の合成特典情報ＳＣを合成するものであっても構わない。この場合、二つの特典情報ＦＣの合成と比較して、さらに有利な特典にかかる合成特典情報ＳＣが合成されるように設定することができる。
【００７６】
さらに、実施形態１にかかる配信システムＤＳにおいて、１つの店舗ＳＨに対する特典情報ＦＣの配信例を示したが、これに限定されるものではなく、複数の店舗ＳＨを展開するチェーン店において、各店舗ＳＨで共通に使用可能な特典情報ＦＣを配信するものでもよい。また、運営会社ＣＯが管理及び運営する管理サーバ１０は、上記のような１つの店舗ＳＨ又は１つのチェーン店を対象とするものではなく、複数のチェーン店や店舗と契約し、それぞれの施設等に応じた特典情報ＦＣを配信するものであってもよい。かかる場合、施設等ごとに属性情報ＡＩのユーザ登録を行う必要がある。
【００７７】
また、主に居酒屋等の飲食店の店舗ＳＨに配信システムＤＳを採用した場合を想定して説明したが、これに限定されるものではなく、従前の紙媒体のクーポンを発行している種々の業種・業態において本発明の配信システムＤＳを採用することができる。
【００７８】
さらに、特典情報ＦＣから合成特典情報ＳＣの合成は、一回に制限されるものではなく、配信された合成特典情報ＳＣを新たな特典情報ＦＣとして要求情報ＲＩを送信し、合成特典情報ＳＣの合成要求を繰り返し行うものであっても構わない。これにより、一度の合成では得ることのできないより有利な特典が付与される可能性が高くなり、ユーザＵ１，Ｕ２にとって合成特典情報ＳＣの合成にさらなる期待感を持つことができる。なお、特典情報ＦＣの合成の繰り返しを無制限に行うことは、店舗ＳＨにとって不利益につながる可能性を有するため、一定の回数に制限（例えば、５回まで）や、一日の合成回数を制限する等の条件を課すものであってもよい。
【符号の説明】
【００７９】
１０：管理サーバ
１１：サーバ側記憶部
１２：属性情報データベース
１３：特典情報データベース
１５：要求情報受信部
１６：ユーザ端末検出部
１６ａ：位置情報検出部
１６ｂ：時刻情報検出部
１７：合成特典情報抽出部
１７ａ：規制抽出部
１８：合成特典情報配信部
２０ａ，２０ｂ：ユーザ端末（他のユーザ端末）
２１：端末画面
２２：特典情報受信部
２３：要求情報送信部
２３ａ：振動送信部
２４：合成特典情報受信部
２５：振動検知部（端末検知部）
２６：位置情報取得部
２７：時刻情報取得部
ＡＩ：属性情報
ＤＳ：配信システム（特典情報配信システム）
ＦＣ：特典情報
ＩＮ：インターネット回線（通信ネットワーク）
ＰＩ：位置情報
ＲＩ：要求情報（他の要求情報）
ＲＩ’：他の要求情報
ＳＨ：店舗（施設等）
ＳＣ：合成特典情報
ＴＩ：時刻情報
Ｕ１，Ｕ２：ユーザ
Ｖ：振動（動作）
【図１】
2016091147.tif 000003
【図２】
2016091147.tif 000004
【図３】
2016091147.tif 000005
【図４】
2016091147.tif 000006
【図５】
2016091147.tif 000007